Podtech/llm-jp-corpus-v4-ja_patent huggingface dataset:
(57)【要約】【課題】  片手で洗濯ばさみをつまみ、もう一方の片手で洗濯物を干す、取り込時も必ず両手作業を必要とし、高齢者や手の不自由な人に使い易さを提供する事を課題とする。又洗濯物を取り外す際、洗濯ばさみを一個ずつ指を用いて操作する必要のあるものであった。【解決手段】    取っ手５を握る事により可動式本体２・可動式本体芯棒３・可動分離洗濯ばさみ４−１に連動し、固定本体１・固定分離洗濯ばさみ４−２とが分離開放し干し物が一瞬にし取込める。又、閉鎖時の個別開閉は、分離洗濯ばさみ４−２を指で操作すれば４−１も開いた状態で固定し簡単に洗濯物を干す事が出来る、又逆操作で閉じる。【選択図】図１
2006110294.tif 000002
【特許請求の範囲】
【請求項１】
洗濯物干しハンガ−取っ手５を握り離す操作で、固定本体１・固定分離洗濯ばさみ４−２に対して可動本体２・可動本体芯棒３が移動開閉し、固定本体１に取付けた全ての固定分離洗濯ばさみ４−２と可動本体２に取付けた全ての可動分離洗濯ばさみ４−１が開閉する分離洗濯ばさみ４を特徴とする洗濯物干しハンガ−。
【請求項２】
前記分離洗濯ばさみは、閉鎖時に可動分離洗濯ばさみ４−２の開閉用突起６を指で操作する事により、分離した片側、可動分離洗濯ばさみ４−１も連動し開き固定する、個別開閉も兼ねた、可動分離洗濯ばさみ４を特徴とする洗濯物干しハンガ−。
【請求項３】
前記可動分離洗濯ばさみは、取っ手５を握り離す操作で固定本体１に対して可動本体２・可動本体芯棒３が移動開閉する、可動本体２を特徴とする洗濯物干しハンガ−。
【発明の詳細な説明】
【技術分野】
【０００１】  この発明は、洗濯物干しハンガ−等に用いる洗濯物干し具、さらに洗濯ばさみに挟んで干し終えた洗濯物を一度に洗濯ばさみから外し取込む事の全ての作業を片手で出来る洗濯物干しハンガ−具に関する。
【背景技術】
【０００２】  従来の洗濯物干し等に用いる洗濯ハンガ−は、洗濯物干しハンガ−本体下部に洗濯ばさみをぶら下げ設けられたものである。
【発明の開示】
【発明が解決しようとする課題】
【０００３】  しかしながら、以上の技術によれば、片手で洗濯ばさみをつまみ、もう一方の片手で洗濯物を干す、取り込時も必ず両手作業を必要とし、高齢者や手の不自由な人に使いやすさを提供する事を課題とする。【０００４】  そして、洗濯物を取り外す際、洗濯ばさみを一個ずつ指を用いて操作する必要のあるものであった。
【課題を解決するための手段】
【０００５】  以上の課題を解決するために、請求項１は、洗濯物干しハンガ−取っ手５を握り、離す操作で、固定本体１・固定分離洗濯ばさみ４−２に対して可動本体２・可動本体芯棒３が移動開閉し、可動本体２に取付けた全ての可動分離洗濯ばさみ４−１が開閉する分離洗濯ばさみ４を特徴とする洗濯物干しハンガ−である。
又、請求項２は、洗濯物干しハンガ−固定本体１と可動本体２が閉鎖時、固定分離洗濯ばさみ４−２の開閉用突起６を指で操作する事により、分離した片側、可動分離洗濯ばさみ４−１も連動し開き固定する、個別開閉も兼ねた、分離洗濯ばさみ４を特徴とする洗濯物干しハンガ−である。
更に、請求項３は、分離洗濯ばさみ４は、取っ手５を握り、離す操作で固定本体１に対して可動本体２・可動本体芯棒３が移動開閉する、可動本体２を特徴とする洗濯物干しハンガ−である。
【発明の効果】
【０００６】  請求項１、請求項２、請求項３、によれば、洗濯物干しハンガ−固定本体１・固定分離洗濯ばさみ４−２に対し可動本体２・可動分離洗濯ばさみ４を移動開閉式にする事により全ての物干しを片手で一瞬に取込む事が出来る。
また、請求項２は、洗濯物干しハンガ−固定本体１と可動本体２が閉鎖時、固定分離洗濯ばさみ４−２の開閉用突起６を指で操作すれば、可動分離洗濯ばさみ４−１も開き固定する事により片手で物干し作業が出来る。因って高齢者や手の不自由な人に使い易さを提供出来る。
【発明を実施するための最良の形態】
【０００７】  この発明の一実施形態を、図１に示す。
洗濯物干し本体１はプラスチック製又は、軽金属製であり、この本体１は固定し、固定分離洗濯ばさみ４−２と共に可動式本体２・可動分離洗濯ばさみ４−１の閉鎖時に受け止める働きをし、分離洗濯ばさみ４−２．４−１は閉鎖時、個別に開く働きもする。【０００８】  洗濯物干し可動本体２はプラスチック製又は、軽金属製であり、この本体２は可動し、可動分離洗濯ばさみ４−１と共に固定本体１・固定分離洗濯ばさみ４−２に対して開閉する働きをする。【０００９】  洗濯物干し可動本体芯棒３はプラスチック製又は、軽金属製であり、この本体芯棒３は可動し、可動本体２の働きを強固にする棒状又は、板状の芯であり可動本体２と共に可動する。【００１０】  分離洗濯ばさみ４はプラスチック製又は、軽金属製であり、この分離洗濯ばさみ４は可動式４−１と固定式４−２がある、可動式本体２の働きにより可動分離洗濯ばさみ４−１が固定分離洗濯ばさみ４−２対して開放・閉鎖する。又閉鎖時、固定分離洗濯ばさみ４−２の開閉用突起６を指で操作すれば可動分離洗濯ばさみ４−１も連動し開いたまま固定する、又逆操作すれば閉じる。【００１１】  洗濯物干し取っ手５はプラスチック製又は、軽金属製であり、この取っ手５を握り、離す操作をすると取っ手内部のバネの働きで、可動本体２・可動本体芯棒３・可動分離洗濯ばさみ４−１と連動し固定本体１・固定分離洗濯ばさみ４−２対して開放・閉鎖する。
【実施形態の効果】
【００１２】  この実施形態によれば、取っ手５を握る事により可動式本体２・可動式本体芯棒３・分離洗濯ばさみ４−１に連動し、一瞬にして分離洗濯ばさみ４−１と４−２が分離し干し物が取込める。又、取っ手５を離した状態では固定本体１と可動本体２さらに分離洗濯ばさみ４−１．４−２も閉鎖する。
【００１３】  閉鎖時の個別開閉は、固定分離洗濯ばさみ４−２の開閉用突起６を指で操作すれば可動分離洗濯ばさみも４−１開いた状態で固定し簡単に洗濯物を干すことが出来る。又逆操作で閉じる。
【他の実施形態】
【００１４】  図５の実施形態では、分離洗濯ばさみ４は取替え式で４−３の形式でも洗濯ばさみが分離しているので可動式洗濯物干しの効果は損なわれない。
【図面の簡単な説明】
【０００９】
【図１】この発明の開放時を示す平面図及び断面図である。
【図２】この発明の閉鎖時を示す平面図及び断面図である。
【図３】この発明の開放・閉鎖時を示す断面図である。
【図４】この発明の請求項２記載の実例を示す断面図である。
【図５】この発明の請求項２記載の実例を示す断面図である。
【符号の説明】
【００１０】  １      洗濯物干し本体
２      可動式本体
３      可動式本体芯棒
４      分離洗濯ばさみ（固定・可動）総称
４−１  可動分離洗濯ばさみ
４−２  固定分離洗濯ばさみ
４−３  取替分離洗濯ばさみ
５      取っ手
６      個別開閉用突起
【図１】
2006110294.tif 000003
【図２】
2006110294.tif 000004
【図３】
2006110294.tif 000005
【図４】
2006110294.tif 000006
【図５】
2006110294.tif 000007
(57)【要約】      （修正有）【課題】効率良い掃除のためのそうじ用ブラシを提供する。【解決手段】半円状にブラシが面するヘッド部を設け、ハンドル部４の先端３を斜めに傾けた細かい所の側面まで磨けることを特徴とするそうじ用ブラシである。【選択図】図１
2006110298.tif 000002
【特許請求の範囲】
【請求項１】
半円状にブラシが面するヘッド部を設け、ハンドル部の先端を斜めに傾けて先端部にヘッド部を装着した細かい所の側面まで磨けるそうじ用ブラシ。
【発明の詳細な説明】
【技術分野】
【０００１】  この考案は、半円状に広がるブラシ部を設けたそうじ用ブラシに関するものである。
＜背景技術＞【０００２】  従来、歯ブラシの使い古しで掃除をしていた。
＜発明の開示＞
＜発明が解決しようとする課題＞【０００３】  そのために、次のような問題点があった。
歯ブラシのブラシ部は一定方向に水平に向いているため、細い溝の側面にはブラシが接することが難しく思うように綺麗にスムーズに掃除が出来なかった。本発明は以上の問題点を解決するためになされたものである。
＜課題を解決するための手段＞【０００４】  半円状にブラシが面するヘッド部を設ける。ハンドル部の先端を斜めに傾けて先端部にヘッド部を装着する。細かい所の側面まで磨けるそうじ用ブラシ。
＜発明の効果＞【０００５】  ブラシが半円状に広がっているので、磨きたい所にブラシが接しスムーズに効率よい掃除ができる。
＜発明を実施するための最良の形態＞【０００６】  以下本発明の実施の形態について説明する。
（イ）円状のブラシ根っこ部（１）の半分・半円状にブラシ（２）を設ける。
（ロ）斜めに傾けた先端（３）を設けたハンドル（４）にブラシ根っこ部を装着する。
本考案は、以上の構造でこれを使用するときは、ブラシ（２）のブラシ部が細かい所の側面まで接して、スムーズに効率よく掃除を行う。
【図面の簡単な説明】
【０００７】＜図１＞  本発明の斜視図
＜図２＞  本発明の分離斜視図
【符号の説明】
【０００８】１  ブラシ根っこ部
２  ブラシ
３  先端
４  ハンドル
【図１】
2006110298.tif 000003
【図２】
2006110298.tif 000004
(57)【要約】      （修正有）【課題】シリコンゴムに色素と香料を混ぜあわせてできた、歯間に装着する装飾具を提供する。【解決手段】シリコンゴムに色素と香料を混ぜあわせてできた本体１−１、歯間装着部分２、本体２−３、を、お好みの歯間に本体１−１と本体２−３を伸ばし、歯間装着部分２をはめ込む。【選択図】図１
2006110292.tif 000002
【特許請求の範囲】
【請求項１】
歯間に装着することを特徴とするシリコンゴムでできた装飾具。
【発明の詳細な説明】
【技術分野】
【０００１】本発明は、歯間に装着する装飾具に関するものである。
【背景技術】
【０００２】従来の歯の装飾品は、限られており、歯に直接貼り付けるものは、歯科医院装着費用がかかるうえ、簡単に取り外すことができず、気軽にお洒落を楽しむこともできなかった。また、シリコンゴムでできた歯間に装着する装飾品は無かった。
【発明の開示】
【発明が解決しようとする課題】
【０００３】従来の歯の装飾品は、限られており、歯に直接貼り付けるものは、歯科医院装着費用がかかるうえ、簡単に取り外すことができず、気軽にお洒落を楽しむこともできなかった。そこで、この発明は、自由にその日の気分や使用目的に応じて、つける場所や色や香りを楽しむことができる、歯の装飾品を提供することを課題とする。
【課題を解決するための手段】
【０００４】以上の課題を解決するために、この発明は、歯間に装着することを特徴とするシリコンゴムでできた装飾具である。
【発明の効果】
【０００５】本発明は、歯間に装着することで、取り外すことができ、自由にその日の気分や使用目的に応じて、つける場所や色や香りを楽しむことができるものである。
【実施例】
【０００６】以下、本発明の実施例について説明する。
シリコンゴムに色素と香料を混ぜあわせてできた本体（１）（２）（３）を、お好みの歯間に（１）と（３）を伸ばし、（２）をはめ込む。
その際、（２）の部分は薄くのびるので、どの歯の間にも取りつけることが可能。よって、笑うと少し見える場所や、まったく見えない奥歯付近など、その日の気分や使用目的に応じてつける場所、色や香りを自由に選んで楽しむことができる。
【図面の簡単な説明】
【０００７】
【図１】      本発明の断面図である。
【図２】      本発明の右側面図である。
【図３】      本発明の使用状態をあらわす正面図である。
【符号の説明】
【０００８】１  本体１
２  歯間装着部分
３  本体２
【図１】
2006110292.tif 000003
【図２】
2006110292.tif 000004
【図３】
2006110292.tif 000005
(57)【要約】【課題】    サイドパッド眼鏡フレームのパッド金具の背面にアクセサリー又は市販のピアス等を着脱交換出来るようにして、さらなる個性化ニーズに答えられる眼鏡フレームを提供する。【解決手段】  眼鏡フレームのパッド金具の背面形状を、切り欠きを入れたパイプとスリットの複合形にする事で板状や針状のアクセサリー又はピアスなどの取り付け交換が簡単にできる様にした、又ピアスの針状の金具を９０度曲げて側面に向けた場合にも下向きにならないように取り付けパイプの上部は切り欠きを入れて安定させる。【選択図】  図１
2006085115.tif 000002
【特許請求の範囲】
【請求項１】
眼鏡フレームのパッド取り付け金具の背面形状を、切り欠きを入れたパイプとスリットの複合形にする事で板状や針状のアクセサリー又はピアスを簡単に着脱できる様にしたアクセサリー差し替えパッド金具。
【発明の詳細な説明】
【技術分野】
【０００１】  この発明は、サイドパッド眼鏡フレームのパッド金具の背面にアクセサリー又はピアス等を着脱交換出来るようにしたパッドの形状に関するものである。
【背景技術】
【０００２】  従来の眼鏡フレームのパッド金具は、背面の形状が半球形又は外枠だけになっている。
【発明の開示】
【発明が解決しようとする課題】
【０００３】  サイドパッド眼鏡フレームのパッド金具の背面にアクセサリー又は市販のピアス等を着脱交換出来るようにして、さらなる個性化ニーズに答えられる眼鏡フレームを提供する。
【課題を解決するための手段】
【０００４】  眼鏡フレームのパッド金具の背面形状に切り欠きを入れたパイプとスリットの複合形にする事で、板状や針状のアクセサリー又はピアスなどの取り付け部が簡単に着脱できる様にした。
【発明の効果】
【０００５】  パッド金具の背面にアクセサリー又はピアスなどを取り付けることによリパッドを隠し、より美的効果の高いサイドパッド眼鏡フレームになる。【０００６】  オリジナルアクセサリー以外に市販のピアス等が利用できる。
【発明を実施する最良の形態】
【０００７】  サイドパッド眼鏡フレームのパッド取り付け金具形状を、背面に切り欠きを入れたパイプとスリットの複合形にする事でオリジナルアクセサリー又は市販のピアスを簡単に着脱交換できる様にした。
【産業上の利用可能性】
【０００８】  パッド金具の背面にアクセサリー又はピアスなどを取り付けることによりパッドを隠し、よりファッショナブルなサイドパッド眼鏡フレームになる。【０００９】  オリジナルアクセサリー以外に市販のピアス等が利用できるので商品アイテムが豊富になり売り場の融合が計れる。
【図面の簡単な説明】
【００１０】
【図１】  サイドパッド眼鏡フレームのパッド金具にアクセサリーを取り付けた状態を示した斜視図である。
【図２】  アクセサリー差し替えパッドとアクセサリーの取り付け部品例（６−８）を示した斜視図である。
【符号の説明】
１  パッド
２  パッド取り付けねじ
３  アクセサリー差し替えパッド金具
４  アクセサリーの取り付け部品（パイプ）
５  アクセサリーの取り付け部品（スリット）
６  取り付け金具（ねじ止め用）
７  取り付け金具（パイプ差し込み用）
８  取り付け金具（スリット差し込み用）
【図１】
2006085115.tif 000003
【図２】
2006085115.tif 000004
(57)【要約】      （修正有）【課題】潤滑油の役目を、だ液で持たせて吹いていたハーモニカを、それなしで吹けるように、くちびるの当たる部分がハーモニカ本体カバー上を左右にスライドして、ハーモニカを吹けるようにする。【解決手段】ハーモニカの２枚の本体カバー２を覆うように滑り易い材質で形状したスライド式マウスピース５のハーモニカを吹く口の当たる部分の開口部６に口を当て、スライド式マウスピース５を左右にスライドさせてハーモニカを吹く事ができ、又ローラーを設ける事により、よりスムーズに左右にスライドさせてハーモニカを吹く事ができる。又そのローラーを設けたスライド式マウスピースが勢いハーモニカ本体から外れるのを防ぐため、ストッパーをハーモニカ本体樹脂部７の両端に取付る。【選択図】図２
2006085114.tif 000002
【特許請求の範囲】
【請求項１】
ハーモニカを吹くときにくちびるがハーモニカ本体カバーに触れる事なく左右にスライドして、ハーモニカを吹けるようにしたスライド式マウスピース。
【請求項２】
スライド式マウスピースにローラーを設けたスライド式マウスピース。
【発明の詳細な説明】
【発明の詳細な説明】
【技術分野】
【０００１】本発明は、ハーモニカを吹くときに、ハーモニカ本体カバー部分にくちびるが触れる事なく、ハーモニカを吹く事が出来るようにしたものである。
【背景技術】
【０００２】従来ハーモニカは、乾いた状態のくちびるで、ハーモニカ本体のカバー上を左右に動かして吹くのは困難で、くちびるに、だ液で潤いを持たせなければ吹きにくかった。
【発明を実施するための最良の形態】
【０００３】本発明は、図１、図２、図３に示す通り、ハーモニカ本体カバー２を覆う口を当てる開口部６を配し、左右にスライドするようにしたスライド式マウスピース５で、又図４、図５、図６、図７に示すスライド式マウスピース本体５には、図４の１１、１２、１３、１４、の内側に図６に示す、つば９、軸１０からなるローラー８を設け、ハーモニカ本体の樹脂部７をはさむ２枚の金属の音階板１の上下４箇所を、つば９で金属の音階板をはさんだローラー８によってスライド式マウスピース５が、より滑らかに左右に動くようにしたもので、その５がハーモニカ本体から外れないようにハーモニカ本体の樹脂部７の左右両端に、図７に示すストッパー１５を７に設けたネジ穴１６に、１５の取付穴１７を通してネジで固定する。
【発明の効果】
【０００４】本来ハーモニカを吹くとき、くちびるが乾いた状態ではハーモニカの本体カバー上を左右に動かして吹きにくく、だ液等でくちびるを潤して潤滑油のような役目を持たせて吹き、非衛生的であった、本発明はこれらの点を解決し、くちびるの当たる部分がハーモニカ本体上をスライドして、ハーモニカを吹けるようにしたものである。
【図面の簡単な説明】
【図１】スライド式マウスピースをハーモニカに取付けた正面図である。
【図２】スライド式マウスピースをハーモニカに取付けた上面図である。
【図３】スライド式マウスピースをハーモニカに取付けた側面図である。
【図４】ローラーを設けたスライド式マウスピースをハーモニカに取付けた正面図である。
【図５】ローラーを設けたスライド式マウスピースをハーモニカに取付けた上面図である。
【図６】ローラーを設けたスライド式マウスピースをハーモニカに取付けた側面図である。
【図７】ストッパーの正面図である。
【符号の説明】
１  金属音階板
２  ハーモニカ本体カバー
３  金属音階板に設けられている溝
４  ハーモニカ本体カバー取付ネジ
５  スライド式マウスピース本体
６  ５の口が当たる開口部
７  ハーモニカ本体樹脂部
８  ローラー
９  つば
１０  軸
１１  ローラー設け部
１２  ローラー設け部
１３  ローラー設け部
１４  ローラー設け部
１５  ストッパー
１６  ストッパー取付ネジ穴
１７  １５の取付穴
【図１】
2006085114.tif 000003
【図２】
2006085114.tif 000004
【図３】
2006085114.tif 000005
【図４】
2006085114.tif 000006
【図５】
2006085114.tif 000007
【図６】
2006085114.tif 000008
【図７】
2006085114.tif 000009
(57)【要約】【課題】  貴重品、重要金属加工品、装飾品、等に用いる方策であり、ＩＣタグをその本体に埋め込み、識別することを目的とする方式である。【解決手段】  貴重品、重要金属加工品、装飾品等に、微少な窪みをつけ、その中にＩＣタグを入れ、固定するものである。【選択図】  図２
2006085661.tif 000002
【特許請求の範囲】
【請求項１】
貴重品、重要金属加工品、装飾品、等に用いる方策であり、ＩＣタグをその本体に埋め込み、識別することを目的とする方式である。
【発明の詳細な説明】
【技術分野】
【０００１】  本発明は、金属等にＩＣタグを埋め込み、それを認識する方式である。その方式は（１）金属等に、ドリル等で孔を開ける。（２）ポンチングで窪みをつけ、その中にＩＣタグを入れ、窪みに接着剤、個化材等で固定する。である。
【背景技術】
【０００２】  従来は、識別タグ等の大きさ、取り扱いにくさ、内蔵の情報量等に限界があり、広く普及するためには難点が多数あった。
【発明の開示】
【発明が解決しようとする課題】
【０００３】  上記の通り、従来の難点であった識別タグの大きさとしては日立製作所の「ミューチップ」と呼ばれる大きさ０．４ｍｍ角のＩＣタグを用いることにより改善され、情報量は１２８ビット（１０の３８乗けた）と大容量である。また、ミューチップは内部にアンテナが内蔵してあり、非接触で外部と通信できる。コストは２００５年には一個あたり十数円程度を目指している。
【課題を解決するための手段】
【０００４】  貴重品、重要金属加工品、装飾品等に、微少な窪みをつけ、その中にＩＣタグを入れ、固定するものである。
【発明の効果】
【０００５】  金属等にＩＣタグを埋め込むことで、それを認識することが可能になる。従来の難点を、上記で述べた改善策により解決される。
【発明を実施するための最良の形態】
【０００６】  以下、本発明の実施の形態を図面に基づき詳細に説明する。
【図面の簡単な説明】
【０００７】
【図１】において、１２の金属片の表面に、１１程度の孔を開ける。
【０００８】
【図２】において、１１の孔の中に、１３のＩＣタグを入れる。
【実施例】
【０００７】  実施例としては、有価証券などの偽造防止にも役立つ。
【産業上の利用可能性】  現在横行している硬貨などの偽造問題に有効であり、偽造問題によって硬貨が諸外国より大量流入されていたが、この方式により解決が十分に期待され、経済面にも効果があると考えられる。
【図１】
2006085661.tif 000003
【図２】
2006085661.tif 000004
(57)【要約】      （修正有）【課題】顧客が欲しいと思う時期に、その商品のダイレクトメールを送付する。【解決手段】コンピュータを利用してひとりひとりの購買履歴から、買い換え・補充商品を抽出し、それぞれの商品に対して、買い換え・補充期間を算出し、この分析を統計的に統合し、買い換え・補充時期の分布から商品毎の買い換え・補充期間を設定する。それぞれの商品ごとの適切な販促物送付のタイミングをセットしたダイレクトメール発送システムを顧客データベースやＰＯＳとリンクさせ、ＰＯＳによる、あるいは購買履歴による購買時点をきっかけに、ダイレクトメール発送プログラムが作動し、設定したタイミングで、顧客毎に、買い換え・補充促進のダイレクトメールを発送する。【選択図】なし【特許請求の範囲】
【請求項１】
コンピュータやネットワークを利用して、買い換えや補充が発生する商品に対して、顧客毎の購買履歴の分析から統計的に商品の買換・補充期間を算出し、各顧客の購買時点をきっかけとして、買い換え・補充が発生する確率が高い時期に販促物を自動的に送付する販売促進の方法。
【発明の詳細な説明】
【発明の詳細な説明】
【発明が解決しようとする課題】
本来、望まない商品のダイレクトメールが送りつけられることは、顧客にとっては不快である。しかし、従来ダイレクトメールは、顧客ニーズ発生のタイミングに合わせた発送が困難なため、企業側が設定した商品を、一定の時期に、一律に発送するため、顧客ひとりひとりのニーズに沿うことは極めて少なかった。単純に購買間隔に基づいて顧客毎に送られてくるダイレクトメールやＥメール等もあるが、買い換えや補充といった一定以上のニーズが顧客にない場合は、個別に送られてくるだけに、かえって不快感が強い。
そのため、ダイレクトメールに対する反応は少なく、販促効率を一定以上に上げることは困難である。そのうえ、的確でないダイレクトメールの発送を繰り返し行うことは顧客の不快感を増幅し、顧客の企業に対するロイヤリティーをそいでしまう。また発送を繰り返すたびに刺激が薄れさらに販促効果を低下させる。
そのため、企業はニーズに適合しやすくするために、商品点数を増やすなどしたダイレクトメールを発送することが多いが、ニーズが多様化した今、十分に多様化することは困難である。しかも限られた媒体の中で商品点数を増やすと、仮にニーズに適合した商品があったとしても、必要とする商品に関する情報は、必然的に不十分なものになってしまう。さらに多彩な商品を扱う結果、ひとつひとつの商品にあわせた適切な売り込み方法を講じることもできない。
本発明は、これらの課題を解決する。
【課題を解決するための手段】
課題を解決するには、顧客が欲しいと思う時期に、その商品のダイレクトメールを送付することが必要となる。その実現には、一定の確率でニーズの発生をつかむことが可能な、買い換え・補充が発生する商品について、コンピュータとネットワークを利用し、ニーズの発生する時期を的確に把握し、最適な時期にダイレクトメールを自動的に発送することで解決できる。
ニーズの発生時期を的確に把握するには、ひとりひとりの購買履歴から、買い換え・補充商品を抽出し、それぞれの商品に対して、平均的な買い換え・補充期間を算出する。この分析を有意な量の顧客データに対して行い統計的に統合することで、商品ごとの買い換え・補充期間を把握することができる。
ダイレクトメールを最適な時期に発送するには、買い換え・補充期間の分布から、あらかじめ適切な販促物送付のタイミングを設定し、それをセットしたコンピュータによる管理システムを顧客データベースとリンクさせ、ＰＯＳ等に連動して顧客の購買時点でダイレクトメール発送プログラムを起動させれば、買い換え・補充期間の長短に関わりなく、顧客個人に対して、最適な時期にダイレクトメールを送付することができる。もちろん、顧客の新たな購入を待つまでもなく、前回の購買履歴から算出した適切な時期に発送することも可能である。商品によっては段階的に回を重ねて販促物を送付することもできる。
また、本発明は、ダイレクトメールだけでなく、各種販促物送付や、テレマーケティング、Ｅメールによる販促アプローチ等についても活用あるいは連動させることができる。
【発明の効果】
本発明によって、顧客は自分が買った商品について、補充が必要となったり、買い換えたいと望む確率が高い時期にダイレクトメールを受け取ることになる。
これによって、ダイレクトメールの販促効率をアップできるのはもちろん、望まないダイレクトメールによる不快感を抑えることが可能になる。
また、その商品単独での販促効果だけでなく、商品選択によっては来店動機を高めるための手法としても活用できる。
また、買い換え期間が長期にわたる商品でも、確実に送付することができる。
さらに、店舗スタッフとの連携がとれていなくても、独立した機関で一括処理することで複雑なダイレクトメールの配布業務を確実に実行できるのはもちろん、システムから店舗スタッフに対して顧客への働きかけを指示することで、顧客との人的コミュニケーションによる販促のフォロー効果も期待できる。
また、顧客ごとの購買履歴を分析し、統計的に統合する手法は、製品と市場との関係から算出された従来の買い換え間隔よりも正確に、買い換えや補充のタイミングをつかむことができるため、販促効率を高めることができる。
(57)【要約】【課題】  新聞や小冊子等の出版物を販売する自動販売機の払い出し装置において、内蔵された出版物をサンプルのように表示させ、出版物が売り切れた際には一目で分からせることを課題とする。【解決手段】  払い出し装置の構造として、自動販売機の後方に向けて傾斜させた背板６に立て掛けるように出版物１ａをセットすることでサンプルとしても表示できるようにし、出版物１ａが置かれる底板５は自動販売機の前方側に確実に滑り落ちるだけの傾斜を持たせると共に、個々の出版物１ａに対して滑り落ちを防止するストッパー４を配置するために、これらが通り抜けられる穴２を設けておくものとする。このストッパー４は底板５の下部に配置されたソレノイド３と連結され電気信号によって昇降できるものとし、商品の金額が入った際は手前側より順番に下降させて出版物１ａを滑り落として払い出すものとする。【選択図】  図１
2006085653.tif 000002
【特許請求の範囲】
【請求項１】
新聞や小冊子等の出版物１ａの自動販売機の払い出し装置として内蔵され、自動販売機の後方に向けて傾斜させた背板６に立て掛けるように出版物１ａをセットすることでサンプルとしても表示できるようにし、出版物１ａが置かれる底板５は自動販売機の前方側に確実に滑り落ちるだけの傾斜を持たせると共に、個々の出版物１ａに対して滑り落ちを防止するストッパー４を配置するために、これらが通り抜けられる穴２を設けておくものとする。このストッパー４は底板５の下部に配置されたソレノイド３と連結され電気信号によって昇降できるものとし、商品の金額が入った際は手前側より順番に下降させて出版物１ａを滑り落として払い出すものとする。
【発明の詳細な説明】
【技術分野】
【０００１】  新聞や小冊子等の出版物の販売を目的とした自動販売機において、内蔵されてる払い出し装置に関する
【背景技術】
【０００２】  従来、新聞の自動販売機の払い出し装置に関しては新聞を自動販売機内で水平に積み上げられた状態にして、払い出す際は一番上にある一部だけを針で引っ掛けて、モーターの力を利用しながら水平に動かすことによって、払い出し口へ導き出すタイプが主流である。
【発明の開示】
【発明が解決しようとする課題】
【０００３】  本発明は新聞や小冊子等の出版物を販売する自動販売機の払い出し装置において、新聞や小冊子等をセットする際に新聞や小冊子等を水平に積み上げるのではなく、垂直に近い角度を保つように並べていくことで、新聞や小冊子等を購入者に対して、サンプルとして表示できる機能を持たせると共に、出版物が売り切れた際には一目で分からせることができるようにした払い出し装置を課題とする。
【課題を解決するための手段】
【０００４】  本発明は新聞や小冊子等の出版物１ａの自動販売機の払い出し装置として内蔵され、自動販売機の後方に向けて傾斜させた背板６に立て掛けるように出版物１ａをセットすることでサンプルとしても表示できるようにし、出版物１ａが置かれる底板５は自動販売機の前方側に確実に滑り落ちるだけの傾斜を持たせると共に、個々の出版物１ａに対して滑り落ちを防止するストッパー４を配置するために、これらが通り抜けられる穴２を設けておくものとする。このストッパー４は底板５の下部に配置されたソレノイド３と連結され電気信号によって昇降できるものとし、商品の金額が入った際は手前側より順番に下降させて出版物１ａを滑り落として払い出すものとする。
【発明の効果】
【０００５】  本発明は上記の手段を講じることで、新聞や小冊子等の出版物１ａの自動販売機の払い出し装置において、立て掛けるようにセットされた出版物１ａが、そのままサンプルとしても表示することが可能となり、売り切れになった場合でも一目で確認することができる。また出版物１ａを立て掛けるようにセットするため従来型の水平に積み上げられた状態の自動販売機に比べ、その奥行きの寸法を抑えることが可能となる。
【発明のを実施するための最良の形態】
【０００７】  本発明の払い出し装置に新聞や小冊子等の出版物１ａをセットする際は、自動販売機の後方に向けて傾斜させた背板６に立て掛けるようにセットすることでサンプルとしても表示できるようにし、出版物１ａが置かれる底板５は自動販売機の前方側に確実に滑り落ちるだけの傾斜を持たせると共に、個々の出版物１ａに対して滑り落ちを防止するためのストッパー４を配置するための穴２を設けるが、この穴２の大きさはストッパー４が可動するのに最少の面積として、この穴２が出版物１ａの滑りを妨げないようにする。
【０００８】  本発明のストッパー４と底板５の下部に配置されたソレノイド３は、上下方向に連結され電気信号によって昇降できるものとするが、ストッパー４が上がっている時は出版物１ａの滑り落ちを防止するのに必要な高さとし、ストッパー４が下がっている時は底板５の面よりも低くなるように設定しておくことで、出版物１ａを払い出す際はストッパー４に引っ掛かることなく自動販売機の払い出し口へ導き出されるものとする。
【０００９】  本発明の底板５の前後の長さは立て掛ける出版物１ａ自体の厚さを計算し、それぞれの間に入り込むストッパー４が無理なく昇降できるようにした幅を持たせながら、一番手前に来る出版物１ａが自重によって変形することがなく、二番目の出版物１ａの滑り落ちを阻止するためのストッパー４に接触することのない長さとすることで、底板５の前後の長さとセットされる出版物１ａの総数が決定されるものとする。
【実施例１】
【００１０】  この実施例の払い出し装置は、立て掛けられた出版物１ａをサンプルとしても表示させることになるので、自動販売機の筐体の手前側は、その大きさ合わせた透明の樹脂で出来た窓を配置し、払いだされた出版物１ｂの滑り落ちる軌跡を考慮し、その払い出し口の位置と大きさを決定する必要がある。
【実施例２】
【００１１】  この実施例の払い出し装置の出版物１ａが売り切れてしまった場合は、ストッパー４もすべて下降した状態になっているが、自動販売機内にリセット用のスイッチを設け、これによりすべてのストッパー４を上昇させることを可能とする。
【産業上の利用可能性】
【００１２】  本発明の払い出し装置においては立て掛ける商品が途中で折れ曲がったり変形しない板状の物であれば払い出すことが可能となるため、出版物以外の分野の商品を自動販売機で売ることが可能となり、特に出版物と同じように表側をサンプルとして見せることが重要な商品に対しては、その購買力を高めることができる。
【図面の簡単な説明】
【００１３】
【図１】斜視図
【図２】断面図
【符号の説明】
【００１４】  １ａ  出版物
１ｂ  払いだされた出版物
２  穴
３  ソレノイド
４  ストッパー
５  底板
６  背板
【図１】
2006085653.tif 000003
【図２】
2006085653.tif 000004
(57)【要約】【課題】プリクラで撮影した画像データをインターネット経由で取得できるシステムを提供する。【解決手段】画像データを取得するためのホームページを開設し、プリクラ端末にはデータをアップロードする機能を有し、画像データを取得するためのホームページを構成するデータファイルを管理するサーバにはデータを受け取ると個別のページを作成し、ＵＲＬを送信する機能を有することを特徴とする。【選択図】図１
2006085657.tif 000002
【特許請求の範囲】
【請求項１】
プリクラ端末とプリクラの画像データを取得するためのホームページを構成するデータファイルを管理するサーバからなるシステムであって、プリクラ端末はデータをサーバへアップロードする機能を有し、サーバにはデータを受け取ると個別のページを作成し、ＵＲＬを送信する機能を有する。
【発明の詳細な説明】
【発明の詳細な説明】
【技術分野】
【０００１】この発明は、プリクラで撮影した画像データ取得方法に関する。
【背景技術】
【０００２】従来のプリクラは、写真をその場でのプリントアウトすることを前提としており、その場にいる友人へ配布するという利用方法などが一般的である。
【発明が解決しようとする課題】
【０００３】従来のプリクラでは、写真をその場で受け取る以外の取得方法がなかった。本発明はインターネット経由での画像データ取得を目的としている。
【課題を解決するための手段】
【０００４】上記課題を解決するために、画像データを取得するためのホームページを開設し、プリクラ端末にはデータをアップロードする機能を有し、画像データを取得するためのホームページを構成するデータファイルを管理するサーバにはデータを受け取ると個別のページを作成し、ＵＲＬを送信する手段を備えた構成としたものである。
【発明を実施するための最良の形態】
【０００５】プリクラ端末と画像データを取得するためのホームページを構成するデータファイルを管理するサーバからなるシステムで、プリクラ端末にはデータをアップロードする機能を有し、サーバにはデータを受け取ると個別のページを作成し、ＵＲＬを送信する機能を有することを特徴とする。
【発明の効果】
【０００６】プリクラで撮影した画像データをインターネット経由で様々な形で取得でき、かつ多くの人に公開することが出来る。
【図面の簡単な説明】
【０００７】
【図１】アップロード機能付きプリクラシステムの概念図である。
【符号の説明】
【０００８】１  アップロード機能付きプリクラ端末
２  データ取得用ホームページを構成するデータファイルを管理するサーバ
【図１】
2006085657.tif 000003
(57)【要約】【課題】  家畜に穀物等の餌を与えて得られる畜産物は数パーセントに過ぎずその多くは排泄物となってしまう。また、家畜排泄物  生ごみを微生物で処理すると発熱を伴い悪臭を含んだガスや二酸化炭素を発生させ地球環境にも悪影響を及ぼす。【解決手段】  家畜排泄物及び生ごみをみみずの餌とし、増殖したみみずを鶏に食べさせ鶏肉や鶏卵を生産することで資源の効率的利用を図ることができる。【選択図】  なし【特許請求の範囲】
【請求項１】
みみず及び鶏を利用して家畜排泄物、生ごみ等を効率的に利用する方法。
【発明の詳細な説明】
【技術分野】
【０００１】  本発明は家畜排泄物及び生ごみの効率的利用に関する。
【背景技術】
【０００２】  家畜排泄物及び生ごみは微生物による処理が行はれ、作物等の肥料として利用されている。
【発明の開示】
【発明が解決しようとする課題】
【０００３】  家畜に穀物等の餌を与えて得られる畜産物は数パーセントに過ぎなく、その多くは排泄物として排泄されてしまう。又、排泄物を微生物で処理する場合でも発熱を伴いその多くが二酸化炭素、水等に変わって空気中に排出されてしまう。【０００４】  本発明は、このような従来の構成が有していた問題を解決しようとするものであり、ミミズ、鶏を介することで、資源を効率的に利用することを目的とするものである。
【課題を解決するための手段】
【０００５】  本発明は上記目的を達成する為に家畜排泄物及び生ごみでまず、みみずを培養しそれを鶏に食べさせ鶏肉と卵を生産する方法である。【０００６】  最初にみみずの培養法ですが、みみずの好む環境を作ることです。一つは土壌の上で生育させること、一つは適度な通気性と温度、水分それと餌となる家畜排泄物及び生ごみを与えてやることです。【０００７】  培養したみみずを鶏に与えるために一つの鳥小屋とフェンスで囲まれたみみずを培養する複数のエリアを設けるものとする。
【発明の効果】
【０００８】  家畜排泄物及び生ごみを微生物処理すると空気中に臭いを伴うガス、二酸化炭素が排出され地球環境の悪化を招くことになるが、みみずに食べさせそのみみずを鶏に食べさせることにより環境に負荷が少ない処理を実現することができる。【０００９】  家畜排泄物及び生ごみの微生物処理は、物を燃焼させるのと同じような現象であるがみみずと鶏を使った処理ではより効率的に資源を活用できると思われる。
【発明の実施するための最良の形態】
【００１０】  以下、本発明の実施の形態を図１〜図２に基づいて説明する。
【００１１】  図において、１は家畜排泄物及び生ごみの層で厚さは１０ｃｍ前後とし、もみがら等を混和し通気性を良くしたものである。
【００１２】  ２は土嬢で通気性を良くするために２０ｃｍ程度の深さまで耕起したものである。
【００１３】  ３はみみずを培養するエリアで側面４方を地下３０ｃｍから高さ２ｍ位のフェンスで囲んだものである。なお４の鶏小屋との間は開閉式の通路を設ける。また、上方にも鷹等の侵入を防ぐ為、網を設ける。
【００１４】  ４は鶏小屋で屋根を設け、水場と補助的な餌場を付けたものである。
【００１５】  ５はフェンスであるが機械が出入りできるよう開閉式にしたものである。
【００１６】  ３のみみずを培養するエリアはみみずの十分な増殖を計るため交互に使用し鶏に食べさせるものとする。
【図面の簡単な説明】
【００１７】
【図１】  みみずを培養するエリアの断面図
【図２】  鶏小屋とみみずを培養するエリアの平面図。
【図１】
2006130487.tif 000002
【図２】
2006130487.tif 000003
(57)【要約】【課題】  生ゴミ，家畜糞尿は微生物により分解する方法では，十分な処理が出来ず，操作の過程で出る液体は，そのまま放出されていた。【解決手段】  生ゴミ，家畜糞尿に複合微生物を混入し，相乗効果による強力な化学変化によって，最終的には，すべて液体及び気体に分解した処理液を，植物や家畜の防疫と再生などに使用するのを特徴とする生ゴミ，家畜糞尿から得られる処理液の活用法である。【特許請求の範囲】
【請求項１】
生ゴミ又は家畜糞尿に，複合微生物を混入し，相乗効果による強力な化学変化によって，最終的には，すべて液体及び気体に分解した処理液を，植物や家畜の防疫と再生などに使用するのを特徴とする生ゴミ・家畜糞尿から得られる処理液の活用法。
【発明の詳細な説明】
【技術分野】
【０００１】  本発明は，生ゴミおよび家畜糞尿を微生物によって分解して液体化した処理液の活用法に関するものである。
【背景技術】
【０００２】  従来，野菜・植物などには，発生する病菌によって，それぞれ農薬が開発されており，又，鶏・豚などの家畜にも各種の薬剤が使用されているが，いずれの場合も化学薬品を合成して作られている為，副作用や残留物質が問題となっていた。
又，価格も高価なものが多く，経営の安定しない農家では，使いにくい状況があった。
【発明の開示】
【発明が解決しようとする課題】
【０００３】  生ゴミや糞尿は通常の微生物では，処理できない残渣がでるほか，高濃度の汚水は完全に処理できなかった。
完全な処理によって，排出される酵素化した液体には，特殊な成分による生物，金属などを改善する働きがあるのではとみられていた。
本発明は，これらの問題点を解決するためのものである。
【解決するための手段】
【０００４】  生ゴミ又は家畜糞尿に，複合微生物を混入し，相乗効果による強力な化学変化によって，最終的には，すべて液体及び気体に分解した処理液を，植物や家畜の防疫と再生などに使用するのを特徴とする生ゴミ，家畜糞尿から得られる処理液の活用法である。
【発明の効果】
【０００５】  生ゴミおよび家畜糞尿を特殊な微生物によって完全に分解し，すべて液体及び気体に処理できるので，採集される処理液が増え，多量にしかも安価で利用できるようになった。
【発明を実施するための最良の形態】
【０００６】  以下，本発明の実施の形態について説明する。
ビニールハウスで栽培中のきゅうりに，青枯れ病が発生し，たちまち周囲に伝染していった。
処理液を潅注した平成１６年１０月１８日の時点で葉っぱは萎びて垂れ下がっていたが，２週間後（平成１６年１１月１日撮影）には，青枯れ病の蔓延が止まったばかりか，侵された茎が活力を取り戻し，新しい葉，芽が次々と生い繁ってきた。
発病当時の顕微鏡撮影によるきゅうりの茎の断面は，茎の中の通導組織が侵され，水や栄養の補給が断たれた状態であった。しかし，処理液の実施で制菌力，抗酸化力，蘇生力が作用した結果，通導組織が回復した状況が写真にはっきりと映っていた。
又，宮崎大学工学部でイオン・クロマトグラフィーを使った解析の結果，硝素含有量が２４．８４（ｍｇ／リットル）の高い数値を示した。これにより処理液は，強い殺菌効果があることが証明された。このことから処理液は，野菜や果物の疫病に制菌力があるほか，抗酸化力，蘇生力などがあることが確認できた。【０００７】・  この外，作物や樹木の茎・葉・果実などに，うどん粉を散らしたように白くなるうどん粉病。
・  ナタネ，レンゲ，野菜類やリンゴなどの腐敗あるいは枯死した病斑部に黒色の菌核ができる菌核病。
・  農作物の茎の地際部が侵され，立ったまま急速に枯死する，イネ，ムギ，ダイズ，タバコ，ナスなどに発生する立枯れ病。
・  葉に黄褐色ないし淡褐色の斑紋を生じ，やがて病斑の裏側一面にカビが現われる。さらに綿毛のようになり，先端に胞子状嚢を生じ，ひどくなると葉は枯れ，雨が降ると水浸状になってべとつく，ブドウやウリ類，その他多くの野菜類に発生するべと病（露菌病）などがある。いずれも発生しやすい病気であるが，「処理液」を潅注又は散布することにより、制菌作用が病菌を抑え，さらに蔓延するのを防ぎ，抗酸化作用で作物の回復力を高めることが出来る。【０００８】・  また飼育動物の伝染病のうち，特にニワトリに，下痢，血便などの症状が発症し短時間で死亡するコクシディウム症。病原体は，原生動物胞子虫類で広くは，人に感染するトキソプラズマ症など。
・  病原性の腸内菌によるグラム陰性で芽胞を作らず，鞭毛を断ち，好気性又は条件によって嫌気性の桿菌，チフス菌，パラチフス菌など食中毒の病原菌。
サルモネラの感染によるサルモネラ症。
・  脳の急性伝染病である豚コレラ。病原体はウィルスで，腸粘膜の炎症，壊死およびボタン状結節を形成する，伝染力が極めて大きい。
・  腹痛，下痢が激しく，飴状の排泄物を出す赤痢などの伝染病である痢病。
以上のような飼育動物の症状に対しても，処理液は，病菌の増殖を抑える制菌作用と同時に，炎症を鎮める蘇生作用によって動物の体力回復を著しく早める結果が出ている。
この処理液は，病気の治療はもちろんだが，畜舎内の散布によって，伝染病の予防，蔓延防止に使用すると，より効果的である。
特に，この処理液は，一般の薬剤よりコストも安く，飲用，散布など用途も広く副作用のないのが特長である。
(57)【要約】【課題】従来のマスクは、花粉や粉塵を防護するだけなので、外出時には常にマスクを使用してなければいけないので、アレルギー症状を緩和させマスクの必要性を無くすこと。【解決手段】花粉や粉塵を防護するマスクに、磁力を備わせてアレルギー症状で炎症を起こしている局部の血行を促進させ、抵抗力を高め免疫力を持たせ、治すようにした。【選択図】図２
2006130022.tif 000002
【特許請求の範囲】
【請求項１】
花粉及び粉塵を防止するマスクとして、木綿生地のマスクの内部にアモルファス合金の磁石と網を装着し、３０００ガウスの磁力によって鼻内部の粘膜の血行を促進させ、花粉や粉塵による鼻の炎症を緩和させるマスク。
【請求項２】
マスク内部に5ｍｍ四角、長さ3ｃｍ状のアモルファス合金磁石を左右対称に配置し、その磁石の両端にアモルファス合金の網を張り、そのアモルファス合金の網の間にローレンツの法則による電位が発生し、磁力として鼻の炎上部分に影響を与えるマスク。
【発明の詳細な説明】
【技術分野】
【０００１】
本発明は、木綿生地のマスクにアモルファス合金の磁石と網を内蔵させ磁力の効果で鼻内部の血行を促進させ、炎症部分を緩和させる事。
【背景技術】
【０００２】
従来の粉塵防止マスクは、木綿生地や特殊フィルターを用いて呼吸する際に花粉や粉塵をマスクで捕集し、鼻内部への侵入を防ぐだけだった。
【発明の開示】
【発明が解決しようとする課題】
【０００３】
今までのマスクは、花粉や粉塵を防ぐだけだった為、アレルギー症状を治すには薬などを服用しなければならなかった。
【課題を解決するための手段】
【０００４】
発明が解決しようとしている課題を解決するには、防護マスクを使用しながらアレルギー症状が治るようにすれば良いので、薬などを使用しないで磁気の力を利用し、患部の血行を促進させ患者本人の抵抗力を高め、炎症を治すようにしたものである。
【０００５】
患者本人の抵抗力が高められ、免疫力が発生し防護マスクを使用しなくてもアレルギー症状が出なくなる。
【発明の効果】
【０００６】
本発明は花粉や粉塵を防ぐだけではなく、同時に花粉や粉塵などのアレルギー症状を治す効果がある。
【発明を実施するための最良の形態】
【０００７】
木綿生地の防護マスクは、生地を何重にも重ね合わせ花粉や粉塵の侵入を防いでいるので、木綿生地の幾重に重ねられた部分にアモルファス合金の磁石と網を設置し、ローレンツの法則による発生する電位を利用して炎症部分を治すようにした。
【０００８】
アモルファス合金について簡単に述べる事にする。
【０００９】
アモルファス合金は、普通の合金と異なり結晶構造ではないため、磁気的性質や硬度・強度などの機械的性質において従来の結晶性合金と異なり、幅広い応用分野を持ち、変圧器などに使われている、優れた合金である。
【実施例】
【００１０】
本発明にかかる花粉や粉塵などによるアレルギー症状を治すマスクに於ける、マスク内部に装着した磁石について述べる。
【００１１】
磁石はアモルファス合金を使用し、通常の磁石より磁力が高く、また磁気の保持力も数倍永くあるため、症状緩和に効果が永く作用する。
【図面の簡単な説明】
【００１２】
【図１】本発明の方法を適用した、マスクの正面図である。
【図２】本発明の方法を適用した、マスクの側面図である。
【図１】
2006130022.tif 000003
【図２】
2006130022.tif 000004
(57)【要約】【課題】新聞を読む時、楽読み新聞見開き専用バインダーを提供する。【解決手段】新聞見開きバインダー（１）の中央部（２）に折り込み専用ワイヤースプリング（３）で挟み込み紙面を固定し全面をオープンにして読める様にしたことが特徴である。【選択図】図−１
2006130894.tif 000002
【特許請求の範囲】
新聞見開きバインダー（プラスチックダンボール製）（１）の中央部（２）に折り込みを付け、新聞挟み込みワイヤースプリング（３）をテープ（４）で固定し、新聞を挟み込んだ後新聞固定用フック（５）を施しバインダー上で、新聞をパノラマ状にオープンして楽読みする新聞見開きバインダーを請求範囲とする。
【発明の詳細な説明】
【発明の詳細な説明】
【技術分野】
【０００１】本発明は、新聞をどんな姿勢や場所でもパノラマオープンして楽読みするものである。
【背景技術】
【０００２】新聞バインダーとしては折り込み部分を両サイドよりはさみ、見開きするものはあった、しかし  両手保持の姿勢のためページめくり等が不便であった。
【発明が解決しょうとする課題】
【０００３】新聞紙面は広く、一般家庭でのテーブル上は雑多な物が置かれてあり、そのままでは、折れ曲がりやデコボコが発生して楽読みを阻害していたパノラマオープンで読むにはテーブル上を片付ける等面倒であったのでこれらを解決するために成されたものである。
【課題を解決する為の手段】
【０００４】新聞見開きバインダー（１）の中央部（２）に折り込み専用ワイヤースプリング（新聞紙面ズレ止めゴム付き）（３）をテープ（４）で固定し新聞を挟み込んだ後、新聞固定用フック（５）セットして、バインダー上で新聞をパノラマオープンして楽読みする。
本発明は、以上のような構成からなる新聞見開きバインダーである。
【発明実施の形態】
【０００５】新聞見開きバインダー（１）の中央部（２）に折り込み専用ワイヤースプリング（新聞紙面ズレ止めゴム付き）（３）をテープ（４）で固定し新聞を挟み込んだ後、新聞固定用フック（５）をセットして、バインダー上で新聞をパノラマオープンして、所を選ばず、どんな姿勢でも楽読み出来る様にしたものである。
【発明の効果】
【０００６】本発明は以上説明した様な内容で構成されているので、以下に記載するような、効果がある。
１）バインダー上で見開きするので紙面の折れ曲がりや、デコボコが無く見やすい。
２）ページめくりが片手で楽に出来る。
３）二面にまたがる紙面がパノラマオープンで楽しく読める。
４）軽く楽な姿勢で所を選ばず楽読み出来る。
【図面の簡単な説明】
【図−１】本発明の斜視図
【図−２】本発明の正面図
【符号の説明】
（１）新聞見開きバインダー（プラスチックダンボール製）
（２）折り込み部（左右対象部位）
（３）挟み専用ワイヤースプリング（紙面ズレ止めゴム付き）
（４）挟み専用ワイヤースプリング固定用テープ
（５）新聞固定用フック
【図−１】
2006130894.tif 000003
【図−２】
2006130894.tif 000004